【事件の表示】
　特願２０１１−２８４７４９「情報処理装置、情報処理方法、およびプログラム」拒絶査定不服審判事件〔平成２５年　７月　８日出願公開、特開２０１３−１３５３５４、請求項の数（１１）〕について、次のとおり審決する。
【結　論】
　原査定を取り消す。
　本願の発明は、特許すべきものとする。
【理　由】
第１　手続の経緯
　本願は、平成２３年１２月２７日の出願であって、平成２７年８月１３日付けで拒絶理由が通知され、平成２７年１０月２日付けで手続補正がされ、平成２８年１月１９日付けで拒絶査定がされたものである。
　本件は、上記拒絶査定を不服として、平成２８年４月２２日付けで請求された拒絶査定不服審判であって、請求と同時に手続補正がなされたものである。
第２　拒絶査定（以下、「原査定」という。）の概要
　原査定の概要は次のとおりである。
　本願の下記の請求項に係る発明は、下記の引用文献に基づいて、その発明の属する技術の分野における通常の知識を有する者（以下、「当業者」という。）が容易に発明をすることができたものであるから、特許法第２９条第２項の規定により特許を受けることができない。
　　　　　　　　　　　　　　　記
請求項１−４、８−１２に対して、引用文献１、４、５
請求項５、６に対して、引用文献１、２、４、５
請求項７に対して、引用文献１−５
引用文献等一覧
１．特開２００５−１３６５０３号公報
２．特開２００４−３１０８８９号公報
３．特開２００８−０６５９６４号公報
４．特開平１０−２８３７５９号公報
５．特開平１１−２０５６７３号公報
第３　審判請求時の補正について
　補正後の請求項１に係る発明は、補正前の請求項１に係る発明において、
「編集の対象となる画像の再生が開始される前に、編集効果が適用される時間と前記編集効果の種類の選択画面を表示させる表示制御部」を備えることに限定し、
　当該「編集効果が適用される時間と前記編集効果の種類の選択画面を表示させる表示制御部」を備えることに限定したことに伴い、
「複数種類の時間の中から予め選択された」を「前記選択画面を用いて複数種類の時間の中から予め選択された」、
「複数の前記編集効果を表す情報と前記編集区間を表す情報」を「前記選択画面を用いて選択された複数の前記編集効果を表す情報と前記編集区間を表す情報」に限定し、
「編集情報を生成する」を「編集情報を、前記指示がある毎に生成する」
に限定したものである。
　補正後の請求項１０、１１は、請求項１とカテゴリーが異なるものであり、同様の限定がされている。
　そして、当該補正に係る事項は、当初明細書の段落００４４−００５５、、図４、図５、段落０１１９−０１２１、図１５に記載された事項であり、新規事項を追加するものでなく、発明の特別な技術的特徴を変更するものでなく、特許請求の範囲の減縮を目的とするものである。
　また、「第４　本願発明」から「第６　対比・判断」までに示すように、補正後の請求項１−１１に係る発明は、独立特許要件を満たすものである。
　したがって、審判請求時の補正は、特許法第１７条の２第３項から第６項までの要件に違反しているものとはいえない。
第４　本願発明
　本願請求項１−１１に係る発明（以下、それぞれ、「本願発明１」−「本願発明１１」という。）は、平成２８年４月２２日付けの手続補正で補正された特許請求の範囲の請求項１−１１に記載された事項により特定される発明であり、以下のとおりの発明である。
　なお、本願発明１のＡからＤについては、説明のために当審にて付したものであり、以下、「構成Ａ」、「構成Ｂ」などという。
「　【請求項１】
Ａ　編集の対象となる画像の再生が開始される前に、編集効果が適用される時間と前記編集効果の種類の選択画面を表示させる表示制御部と、
Ｂ　前記画像の再生を制御する制御部と、
Ｃ　前記画像の再生区間のうち、前記画像の再生中に指示があったときの再生位置から、前記選択画面を用いて複数種類の時間の中から予め選択された所定の時間だけ後の位置までの区間を編集区間とし、前記編集区間の前記画像に組み合わせて適用する、前記選択画面を用いて選択された複数の前記編集効果を表す情報と前記編集区間を表す情報を含む編集情報を、前記指示がある毎に生成する生成部と
Ｄ　を備える情報処理装置。
　　【請求項２】
　前記制御部は、前記編集情報が生成された前記画像を再生する場合、前記編集情報に基づいて、複数の前記編集効果を組み合わせて前記編集区間の前記画像に適用する
　請求項１に記載の情報処理装置。
　　【請求項３】
　前記生成部は、前記編集区間の前記画像に適用する前記編集効果として１つの前記編集効果が選択された場合、１つの前記編集効果を表す情報と前記編集区間を表す情報を含む前記編集情報を生成する
　請求項１または２に記載の情報処理装置。
　　【請求項４】
　前記表示制御部は、前記編集効果が適用される区間を表すアイコンを前記編集区間の開始位置に配置したタイムラインを表示させる
　請求項１乃至３のいずれかに記載の情報処理装置。
　　【請求項５】
　前記表示制御部は、複数の前記編集効果が適用される区間を表すアイコンと、１つの前記編集効果が適用される区間を表すアイコンとしてそれぞれ異なるアイコンを表示させる
　請求項４に記載の情報処理装置。
　　【請求項６】
　前記表示制御部は、複数の前記編集効果が適用される前記編集区間に対応する前記タイムラインの区間と、１つの前記編集効果が適用される前記編集区間に対応する前記タイムラインの区間を異なる色で表示させる
　請求項４または５に記載の情報処理装置。
　　【請求項７】
　前記編集情報を前記画像とは別に記録させて管理する管理部をさらに備える
　請求項１乃至６のいずれかに記載の情報処理装置。
　　【請求項８】
　前記管理部は、ユーザにより選択された前記編集効果の情報を前記編集情報から削除する
　請求項７に記載の情報処理装置。
　　【請求項９】
　前記管理部は、ユーザにより選択された前記編集効果の内容を変更し、変更後の内容を表す前記編集効果の情報を前記編集情報に記録する
　請求項７または８に記載の情報処理装置。
　　【請求項１０】
　編集の対象となる画像の再生が開始される前に、編集効果が適用される時間と前記編集効果の種類の選択画面を表示させ、
　前記画像を再生し、
　前記画像の再生区間のうち、前記画像の再生中に指示があったときの再生位置から、前記選択画面を用いて複数種類の時間の中から予め選択された所定の時間だけ後の位置までの区間を編集区間とし、前記編集区間の前記画像に組み合わせて適用する、前記選択画面を用いて選択された複数の前記編集効果を表す情報と前記編集区間を表す情報を含む編集情報を、前記指示がある毎に生成する
　ステップを含む情報処理方法。
　　【請求項１１】
　編集の対象となる画像の再生が開始される前に、編集効果が適用される時間と前記編集効果の種類の選択画面を表示させ、
　前記画像を再生し、
　前記画像の再生区間のうち、前記画像の再生中に指示があったときの再生位置から、前記選択画面を用いて複数種類の時間の中から予め選択された所定の時間だけ後の位置までの区間を編集区間とし、前記編集区間の前記画像に組み合わせて適用する、前記選択画面を用いて選択された複数の前記編集効果を表す情報と前記編集区間を表す情報を含む編集情報を、前記指示がある毎に生成する
　ステップを含む処理をコンピュータに実行させるプログラム。」
第５　引用文献、引用発明等
１．引用文献１について
　原査定の拒絶の理由に引用された引用文献１（特開２００５−１３６５０３号公報）には、図面とともに次の事項が記載されている。
「【００１８】
　また、本発明に係るファイル記録再生装置において、上記制御手段は、例えば、
ビデオデータの
再生中に、エフェクトをかけたい任意の区間を指定する指示入力に応じて、上記エフェクトトラック内に所望のエフェクト種別・パラメータのエフェクト区間を自動的に作成する
「【００２２】
　また、本発明に係るファイル記録再生装置において、上記制御手段は、例えば、
エフェクト区間を作成する場合に、すでにその区間の一部または全部に別のエフェクト区間が存在する場合、その区間のエフェクトは、新たなエフェクトトラックを追加して、そこにエフェクト区間を作成して多重エフェクトとする。
「【００９９】
　次に、ＱＴにおける多重エフェクトについて説明する。
【０１００】
　
多重エフェクトは、
実現されるエフェクト例としては、セピア色変換したものにぼかしを施すなどが挙げられる。
「【０１１９】
　このビデオディスク装置３０を搭載した
ビデオディスクカメラ１００は、
再生開始ボタン４２
エフェクトボタン４４
エフェクト種別・パラメータ変更ボタン４５
を備える。
「【０１２１】
　
エフェクト区間テーブルは、
どのような種別・パラメータのエフェクトがどの区間施されるかを記述しているもので
「【０１３８】
　ここで、
エフェクトの種別及びパラメータはプリセットで開発者が用意したものを選択できるような方法をとる。ユーザは、エフェクト種別・パラメータ変更ボタンによってプリセットのなかから選ぶ。
【０１３９】
　エフェクトスイッチは、ＯＮ（エフェクトが施されている）／ＯＦＦ（エフェクトが施されていない）を表す変数であり、このビデオディスクカメラ１００にユーザーインターフェースとして備えられている
エフェクトボタン４４が押されるごとにＯＮ／ＯＦＦの状態がトグルする。
「【０１４２】
　すなわち、先ず、ステップＳ１では、過去の録画開始要求、再生要求、停止要求ユーザ要求、マーク要求をクリアする。
【０１４３】
　次のステップＳ２では、ユーザインターフェースのボタン状態を取得する。
【０１４４】
　そして、次のステップＳ３では、記録開始ボタン４１が押されたか否かを判定する。
【０１４５】
　このステップＳ３における判定結果がＹＥＳすなわち記録開始ボタン４１が押された場合は、ステップＳ４に進んで録画開始要求を発行して、ステップＳ５に進む。
【０１４６】
　また、このステップＳ３における判定結果がＮＯすなわち記録開始ボタン４１が押されていない場合は、ステップＳ５に進む。
【０１４７】
　ステップＳ５では、
再生開始ボタン４２が押されたか否かを判定する。
【０１４８】
　このステップＳ５における判定結果がＹＥＳすなわち
再生開始ボタン４２が押された場合は、
再生開始要求を発行
【０１４９】
　また、このステップＳ５における判定結果がＮＯすなわち再生開始ボタン４２が押されていない場合は、ステップＳ７に進む。
【０１５０】
　ステップＳ７では、停止ボタン４３が押されたか否かを判定する。
【０１５１】
　このステップＳ７における判定結果がＹＥＳすなわち停止ボタン４３が押された場合は、ステップＳ８に進んで停止始要求を発行して、ステップＳ９に進む。
【０１５２】
　また、このステップＳ７における判定結果がＮＯすなわち停止ボタン４３が押されていない場合は、ステップＳ９に進む。
【０１５３】
　ステップＳ９では、
エフェクトボタン４４が押されたか否かを判定する。
【０１５４】
　このステップＳ９における判定結果がＹＥＳすなわちエフェクトボタン４４が押された場合は、ステップＳ１０に進んでエフェクトスイッチがＯＮ状態にあるか否かを判定する。
【０１５５】
　このステップＳ１０における判定結果がＹＥＳすなわちエフェクトスイッチがＯＮ状態にある場合にはステップＳ１１に進んで
エフェクトスイッチをＯＦＦにして、
【０１５６】
　また、このステップＳ１０における判定結果がＮＯすなわちエフェクトスイッチがＯＦＦ状態にある場合にはステップＳ１２に進んで
エフェクトスイッチをＯＮにして、
【０１５７】
　さらに、上記ステップＳ９における判定結果がＮＯすなわちエフェクトボタン４４が押されていない場合は、ステップＳ１３に進む。
【０１５８】
　ステップＳ１３では、
エフェクト種別・パラメータ変更ボタン４５が押されたか否かを判定する。
【０１５９】
　このステップＳ１３における判定結果がＹＥＳすなわち
エフェクト種別・パラメータ変更ボタン４５が押された場合は、
エフェクト種別・パラメータを変更
【０１６０】
　また、このステップＳ１３における判定結果がＮＯすなわちエフェクト種別・パラメータ変更ボタン４５が押されていない場合は、ステップＳ１５に進む。
【０１６１】
　ステップＳ１５では、マークボタン４６が押されたか否かを判定する。
【０１６２】
　このステップＳ１５における判定結果がＹＥＳすなわちマークボタン４６が押された場合は、ステップＳ１６に進んでマーク要求を発行して、ユーザ入力処理を終了する。
【０１６３】
　また、このステップＳ１５における判定結果がＮＯすなわちマークボタン４６が押されていない場合は、直ちにユーザ入力処理を終了する。」
「【０２１７】
　次に、再生時にユーザからの指示によりエフェクトが任意の時間に任意のエフェクト区間が作成される再生時エフェクト編集の処理の例を図３０に示す。この処理を行うメイン部は、図３０のフローチャートに示す手順に従って再生処理を実行する。
【０２１８】
　すなわち、ステップＳ６１では、上記ユーザ入力部によるユーザ入力を行う。
【０２１９】
　次のステップＳ６２では、
再生開始要求があったか否かを判定する。
【０２２０】
　このステップＳ６２における判定結果がＮＯすなわち再生開始要求がない場合には上記ステップＳ６１に戻り、上記ステップＳ６１とステップＳ６２の処理を繰り返すことにより、ユーザから再生開始要求があるまで待機している。
【０２２１】
　そして、このステップＳ６２における判定結果がＹＥＳすなわち再生開始要求があると、次のステップＳ６３に進む。
【０２２２】
　ステップＳ６３では、エフェクトトラックを持つムービーアトム（Movie Atom）が存在するか否かを判定する。
【０２２３】
　このステップＳ６３における判定結果がＹＥＳすなわちエフェクトトラックを持つムービーアトム（Movie Atom）が存在する場合は、ステップＳ６４に進んで、光ディスク２０から任意のムービーアトム（Movie Atom）を読み出してメモリ８に書き込み、また、エフェクトトラックの情報をもとにエフェクト区間テーブルを構築して、ステップＳ６６に進む。
【０２２４】
　また、このステップＳ６３における判定結果がＮＯすなわちエフェクトトラックを持つムービーアトム（Movie Atom）が存在しない場合は、ステップＳ６５に進んで、光ディスク２０からオリジナルのビデオトラックのみのムービーアトム（Movie Atom）を読み出してメモリ８に書き込んで、ステップＳ６６に進む。
【０２２５】
　ステップＳ６６では、エフェクトスイッチがＯＮ状態にあるか否かを判定する。
【０２２６】
　このステップＳ６６判定結果がＮＯすなわちエフェクトスイッチがＯＦＦ状態のときは、そのままステップＳ６８に進む。
【０２２７】
　また、このステップＳ６６判定結果がＹＥＳすなわち
エフェクトスイッチがＯＮ状態のときは
その時点でのエフェクト種別・パラメータと開始時刻をエフェクト区間テーブルへ記録
【０２２８】
　ステップＳ６８では、ストレージである光ディスク２０から映像音声データすなわちムービーデータアトム（Movie Data Atom）をメモリ８に読み込み、デコードしてデバイスへ映像や音声を出力する。
【０２２９】
　次のステップＳ６９では、上記ユーザ入力部によるユーザ入力を行う。
【０２３０】
　次のステップＳ７０では、上記ステップＳ４７におけるユーザ入力としてエフェクトボタン４４が押されてエフェクトスイッチの状態が変化したか否かを判定する。
【０２３１】
　このステップＳ７０の判定結果がＮＯすなわちエフェクトスイッチの状態が変化していないときは、そのままステップＳ７４に進む。
【０２３２】
　また、このステップＳ７０における判定結果がＹＥＳすなわちエフェクトスイッチの状態が変化した場合には、ステップＳ７１に進んで、エフェクトスイッチがＯＮ状態にあるか否かを判定する。
【０２３３】
　そして、このステップＳ７１判定結果がＹＥＳすなわちエフェクトスイッチがＯＮのときは、ステップＳ７２に進んで、上述のエフェクト区間登録処理Ａを行って、すなわち、その時点でのエフェクト種別・パラメータと開始時刻をエフェクト区間テーブルへ記録して、ステップＳ７４に進む。
【０２３４】
　また、このステップＳ７１における判定結果がＮＯすなわち
エフェクトスイッチがＯＦＦのときは、
その時点でエフェクトの開始時刻と終了時刻より継続時間を求めエフェクト区間テーブルに既に記録されているエフェクト種別・パラメータとともに継続時間を記録しエフェクト区間を追加し
【０２３５】
　ステップＳ７４では、光ディスク２０から
再生する映像音声データがなくなったか否か、
判定する。
【０２３６】
　このステップＳ７４における判定結果がＮＯすなわち光ディスク２０から
再生する映像音声データあり
上記ステップＳ６８からステップＳ７４の処理を繰り返し行う。
【０２３７】
　そして、このステップＳ７４における判定結果がＹＥＳすなわち光ディスク２０から再生する映像音声データがなくなるか停止要求があれば、次のステップＳ７５に進んでエフェクトスイッチがＯＮ状態にあるか否かを判定する。
【０２３８】
　このステップＳ７５判定結果がＮＯすなわちエフェクトスイッチのＯＮ状態にない場合は、そのままステップＳ７７に進む。
【０２３９】
　また、このステップＳ７５における判定結果がＹＥＳすなわちエフェクトスイッチがＯＮ状態の場合には、ステップＳ７６に進んで、上述のエフェクト区間登録処理Ｂを行って、すなわち、エフェクトの開示時刻と終了時刻からエフェクト区間を求め、エフェクト種別、エフェクト区間をメモリ８に記録して、ステップＳ７７に進む。
【０２４０】
　ステップＳ７７では、ムービー全体がＮｕｌｌエフェクトであるか否かを判定する。
【０２４１】
　このステップＳ７７における判定結果がＮＯすなわちメモリ８に記録されたエフェクトがムービー全体においてエフェクト区間テーブルにエントリが１つ以上あれば、エフェクトトラックを持つムービーアトム（Movie Atom）をメモリ８から読み出して光ディスク２０へ書き込んで、再生処理を終了する。
【０２４２】
　また、このステップＳ７７における判定結果がＹＥＳすなわちムービー全体がＮｕｌｌエフェクトである場合は、そのまま再生処理を終了する。
【０２４３】
　以上のような操作によってエフェクトトラックをもつムービーアトム（Movie Atom）が新たに作成され、元あったエフェクトトラックをもつムービーアトム（Movie Atom）もそのまま残すことができる。
【０２４４】
　ここで、上記ステップＳ７８でエフェクトトラックをもつムービーアトム（Movie Atom）を光ディスク２０へ書き出す際に、
エフェクト区間テーブルにおいて、エフェクト区間エントリが時間的にオーバーラップしている場合がある。
新たにエフェクトトラックを追加しそこにエフェクト区間を作成し多重エフェクトとする方法により対処ことができる。
【０２４５】
　ここで、図３０のフローチャートに示した再生処理の具体例を図３１、図３２図３３及び図３４に示す。
【０２４６】
　図３１（Ａ）のように上述の図２９に示したムービーを再生開始し、２分後にエフェクトボタンを押し、３分後にエフェクトボタンを押し、５分後に再生を停止した場合における多重エフェクトの具体例では、再生開始直後に図３１（Ｂ）に示すようなエフェクト区間テーブルが光ディスク２０から読み出されてメモリ８上に書き込まれ、再生中に図３１（Ｃ）のようなエフェクト区間が追加される。テーブルが整理され、図３１（Ｄ）のようにエフェクト区間テーブルが新たに作成されそこへエフェクト区間が新たに追加される。新たに追加されたエフェクト区間のエフェクト種別・パラメータがメディアデータとしてディスク上へ記録される。
【０２４７】
　
再生停止後、
多重エフェクトの構造を持つムービーアトム（Movie Atom）が
作成される。
　以上の記載によれば、上記引用文献１には、次の発明（以下、「引用発明」という。）が記載されている。
　なお、ａからｅについては、説明のために当審にて付したものであり、以下、「構成ａ」、「構成ｂ」などという。
「ａ　エフェクト種別・パラメータ変更ボタンが押された場合は、エフェクトの種別及びパラメータをプリセットで開発者が用意したものから選択でき、
　ｂ　再生開始ボタンが押された場合は、再生開始要求を発行し、
　ｃ　再生開始要求が発行された後、エフェクトボタンが押され、エフェクトスイッチをＯＮにすると、その時点でのエフェクト種別・パラメータと開始時刻を、どのような種別・パラメータのエフェクトがどの区間施されるかを記述しているエフェクト区間テーブルへ記録し、エフェクトボタンが押され、エフェクトスイッチをＯＦＦにすると、その時点でエフェクトの開始時刻と終了時刻より継続時間を求めエフェクト区間テーブルに既に記録されているエフェクト種別・パラメータとともに継続時間を記録しエフェクト区間を追加し、
　　　再生する映像音声データがなくなるまで、上記動作を繰り返し、
　ｄ　エフェクト区間を作成する場合に、すでにその区間の一部または全部に別のエフェクト区間が存在する場合、エフェクト区間テーブルが新たに作成されそこへエフェクト区間が新たに追加され、セピア色変換したものにぼかしを施すなどのような多重エフェクトを実現する
　ｅ　ビデオディスクカメラ。」
２．引用文献２について
　原査定の拒絶の理由に引用された引用文献２（特開２００４−３１０８８９号公報）の段落００５８−００６３及び図１１の記載からみて、当該引用文献２には、
「ズームイン、ズームアウト、フェードイン、フェードアウト処理を表すエフェクトアイコンをタイムライン表示領域に表示する」という技術的事項が記載されていると認められる。
３．引用文献３について
　原査定において周知技術を示す文献として引用された引用文献３（特開２００８−６５９６４号公報）の段落００８５及び図１１の記載からみて、当該引用文献３には、
「走行バー上の消去対象として選択されていないチャプタと選択されているチャプタを異なる表示色とする」という技術的事項が記載されていると認められる。
４．引用文献４について
　原査定において周知技術を示す文献として引用された引用文献４（特開平１０−２８３７５９号公報）の段落０１８０−０１８３及び図２７の記載からみて、当該引用文献４には、
「エフェクト設定用のダイアログをビデオ編集用画面上に画面表示させ、所望のエフェクト・パターンを選択し、所望の時間をクリックすることによりトランジション時間を選択して設定する」という技術的事項が記載されていると認められる。
５．引用文献５について
　原査定において周知技術を示す文献として引用された引用文献５（特開平１１−２０５６７３号公報）の段落０３８６−０３８９及び図３５、３６の記載からみて、当該引用文献５には、
「エフェクトを付加させる場合の設定処理において、エフェクト設定ダイアログを表示し、エフェクトパターンを選択し、フレーム数を選択することによりエフェクトの作用する時間をフレーム数で設定する」という技術的事項が記載されていると認められる。
第６　対比・判断
１．本願発明について
（１）対比
　本願発明１と引用発明を対比する。
（１−１）本願発明１の構成Ａについて
　引用発明の構成ａの「エフェクトの種別及びパラメータ」は、本願発明１の構成Ａの「編集効果の種類」に相当する。
　構成ａにおいては、「エフェクト種別・パラメータ変更ボタンが押された場合は、エフェクトの種別及びパラメータをプリセットで開発者が用意したものから選択でき」るものである。そして、構成Ａは、「選択画面を表示させる表示制御部」を備えるものであり、選択画面を表示させることにより『選択する』ものであるから、構成ａと構成Ａは、「編集効果の種類を選択する」点で共通する。
　しかしながら、選択することに関して、引用発明は、本願発明１のように、「選択画面を表示させる表示制御部」を備えるか否かは不明であり、「編集の対象となる画像の再生が開始される前」であるか否か不明であり、また、「編集効果が適用される時間」の選択画面を表示させるものではない点で相違する。
（１−２）本願発明１の構成Ｂについて
　引用発明の構成ｂにおいては、「再生開始ボタンが押された場合は、再生開始要求を発行」するものであるから、画像の再生に関する制御を行っているものといえ、本願発明１の構成Ｂに相当する構成を有している。
（１−３）本願発明１の構成Ｃについて
　引用発明の構成ｃは、「再生開始要求」があってから、「再生する映像音声データがなくなるまで」の間に行われるものであるから、映像が再生される間に行われているものといえる。
　構成ｃは、「エフェクトボタンが押され、エフェクトスイッチをＯＮにすると、その時点でのエフェクト種別・パラメータと開始時刻を、」「エフェクト区間テーブルへ記録し、エフェクトボタンが押され、エフェクトスイッチをＯＦＦにすると、」「継続時間を求めエフェクト区間テーブルに既に記録されているエフェクト種別・パラメータとともに継続時間を記録しエフェクト区間を追加」するものであるから、映像の再生中に、エフェクトボタンを押した位置から次に押した位置までを、エフェクト区間としているものであるといえる。
　構成ｃの「エフェクト」は、構成ｄより、「エフェクト区間」の映像に「セピア色変換」や「ぼかしを施す」ことであり、エフェクト区間の映像に組み合わせるものといえる。
　構成ｃの「エフェクト区間テーブル」は、その時点でのエフェクト種別・パラメータと、開始時刻及び継続時間というエフェクト区間を含む情報を記述しているものである。
　構成ｃは、「再生する映像音声データがなくなるまで、上記動作を繰り返」すものであるから、映像の再生中に、エフェクトスイッチをＯＮにしてＯＦＦにした後、再度ＯＮにしてＯＦＦにすると、新たなエフェクト種別・パラメータと、開始時刻及び継続時間というエフェクト区間を含む情報がエフェクト区間テーブルに書き込まれるので、エフェクトスイッチのＯＮ、ＯＦＦ毎にエフェクト区間テーブルに書き込むものといえる。
　そうすると、引用発明の構成ｃは、『映像が再生される間において、映像の再生中に、エフェクトボタンを押した位置から次に押した位置までをエフェクト区間とし、エフェクト区間の映像に組み合わせる、エフェクト種別・パラメータと、開始時刻及び継続時間というエフェクト区間を含む情報を、エフェクトスイッチのＯＮ、ＯＦＦ毎に、エフェクト区間テーブルに書き込む』ものといえる。
　そして、上記『映像が再生される間』、『映像の再生中に、エフェクトボタンを押した位置から』、『エフェクト区間』、『エフェクト種別・パラメータ』、『開始時刻及び継続時間というエフェクト区間』は、構成Ｃの「前記画像の再生区間」、「前記画像の再生中に指示があったときの再生位置から」、「編集区間」、「編集効果を表す情報」、「編集区間を表す情報」に相当する。
　また、上記『次に押した位置まで』は、「所定の時間だけ後の位置」という点で、構成Ｃと共通する。
　さらに、『情報』は、『エフェクト種別・パラメータと、開始時刻及び継続時間というエフェクト区間を含む』ことから、構成Ｃの「編集情報」に対応し、『エフェクトスイッチのＯＮ、ＯＦＦ毎に、エフェクト区間テーブルに書き込む』ことは、エフェクトスイッチによる指示がある毎に、『エフェクト種別・パラメータと、開始時刻及び継続時間というエフェクト区間を含む情報』を書き込むものであり、書き込むためには、そのような情報を生成する生成部を備えるものといえる。
　したがって、構成ｃと構成Ｃは、「前記画像の再生区間のうち、前記画像の再生中に指示があったときの再生位置から、所定の時間だけ後の位置までの区間を編集区間とし、前記編集区間の前記画像に組み合わせて適用する、前記編集効果を表す情報と前記編集区間を表す情報を含む編集情報を、前記指示がある毎に生成する生成部」を備える点で共通する。
　しかし、「所定の時間だけ後の位置」に関して、引用発明は、「次に押した位置」であるのに対し、本願発明１は、「前記選択画面を用いて複数種類の時間の中から予め選択された」位置である点で相違する。
　また、「前記編集効果を表す情報」に関して、引用発明は、本願発明１のように、「前記選択画面を用いて」複数選択されるものであり、かつ、「前記指示がある毎に」複数の前記編集効果を表す情報を生成するものでない点で相違する。
　さらに、上記（１−１）で検討したように、選択することに関して、引用発明は、本願発明１のように、「編集効果が適用される時間」の選択画面を表示させるものではない点で相違することに起因して、「前記編集区間を表す情報」に関して、引用発明は、本願発明１のように、「前記選択画面を用いて選択された」ものではない点で相違する。
（１−４）本願発明１の構成Ｄについて
　引用発明の構成ｅの「ビデオディスクカメラ」は、再生している映像にエフェクト処理を行う装置であるから、情報を処理する装置であるといえ、本願発明１の構成Ｄに相当する。
　したがって、本願発明１と引用発明との間には、次の一致点、相違点があるといえる。
(一致点）
　編集効果の種類を選択し、
　画像の再生を制御する制御部と、
　前記画像の再生区間のうち、前記画像の再生中に指示があったときの再生位置から、所定の時間だけ後の位置までの区間を編集区間とし、前記編集区間の前記画像に組み合わせて適用する、前記編集効果を表す情報と前記編集区間を表す情報を含む編集情報を、前記指示がある毎に生成する生成部と
　を備える情報処理装置。
（相違点）
（相違点１）
　選択することに関して、本願発明１は、「編集の対象となる画像の再生が開始される前に、編集効果が適用される時間と前記編集効果の種類の選択画面を表示させる表示制御部」を備えるのに対し、引用発明は、「エフェクト種別・パラメータ変更ボタンが押された場合は、エフェクトの種別及びパラメータをプリセットで開発者が用意したものから選択」するものであり、「選択画面を表示させる表示制御部」を備えるか否かが不明であり、「編集の対象となる画像の再生が開始される前」であるか否か不明であり、また、「編集効果が適用される時間」を表示させるものではない点。
（相違点２）
　「所定の時間だけ後の位置」に関して、本願発明１は、「前記選択画面を用いて複数種類の時間の中から予め選択された」位置であるのに対し、引用発明は、「次に押した位置」である点。
（相違点３）
　「前記編集効果を表す情報」に関して、本願発明１は、「前記選択画面を用いて」複数選択されるものであり、かつ、「前記指示がある毎に」複数の前記編集効果を表す情報を生成するものであるのに対し、引用発明は、そのような構成ではない点。
（相違点４）
　相違点１の「編集効果が適用される時間」の選択画面を表示させるものではない点に起因して、「前記編集区間を表す情報」に関して、本願発明１は、「前記選択画面を用いて選択された」ものであるのに対し、引用発明は、「前記選択画面を用いて選択された」ものでない点。
（２）相違点についての判断
　上記相違点３について検討する。
　上記相違点３に係る本願発明１の構成は、選択画面を用いて、複数の編集効果を選択し、かつ、画像の再生中に指示された箇所にて、１度の指示で選択された複数の編集効果を設定するものであるといえる。
　一方、引用発明１では、「エフェクト区間を作成する場合に、すでにその区間の一部または全部に別のエフェクト区間が存在する場合、エフェクト区間テーブルが新たに作成されそこへエフェクト区間が新たに追加され、セピア色変換したものにぼかしを施すなどのような多重エフェクトを実現する」（構成ｄ）ものであり、選択画面を用いて、複数の編集効果を選択するものでない。また、引用発明１は、一度、編集効果が設定された画像に、更に追加で編集効果を設定することにより、複数の編集効果を設定するものである。
　すなわち、引用発明１では、画像に対して、１度に１つの編集効果しか設定できず、複数の編集効果を設定するためには、複数回の指示を必要としている。
　
　そして、引用発明のような、画像に対して、１度に１つの編集効果しか設定できない構成から、本願発明１のように、選択画面を用いて、複数の編集効果を選択し、かつ、１度の指示で選択された複数の編集効果を設定することは、容易に想到し得るものではない。
　また、引用文献２−５についても、相違点３に係る本願発明の構成を備えるものではない。
　よって、相違点３に係る構成は、上記引用文献１−５から、容易に想到し得るものでなく、本願出願前において周知技術であるともいえない。
　そしてそのような構成を採用することにより、本願発明１は、
「【０００６】
　複数の編集効果を組み合わせて用いる場合、編集効果の種類の選択と、編集効果を付ける区間の指定を繰り返す必要があり、操作に手間がかかる。
　【０００７】
　また、複数の編集効果を組み合わせて用いることで相乗効果を発揮させ、より効果的な演出が可能になるとしても、特に編集の初心者にとってはそのようなことに気付くことすら難しい。その結果、編集効果の種類が充実していても、十分に利用されていないことが多い。」
という課題を解決し、
「【００２０】
　本技術によれば、複数の編集効果をより簡単に設定することができる。」
という効果を有する発明となる。
　
　したがって、本願発明１は、上記相違点１、２、４を検討するまでもなく、当業者であっても、引用発明、引用文献２−５に記載された技術的事項に基づいて容易に発明できたものであるとはいえない。
２．本願発明２−９について
　本願発明２−９は、本願発明１を直接若しくは間接に引用する発明であるから、上記相違点に係る構成を全て有しているものであるので、本願発明１と同様に、当業者であっても、引用発明、引用文献２−５に記載された技術的事項に基づいて容易に発明できたものであるとはいえない。
３．本願発明１０、１１について
　本願発明１０、１１は、本願発明１に対応する方法の発明、プログラムの発明であり、上記相違点に係る構成を全て有しているものであるので、本願発明１と同様に、当業者であっても、引用発明、引用文献２−５に記載された技術的事項に基づいて容易に発明できたものであるとはいえない。
第７　原査定について
　審判請求時の補正により、本願発明１−１１は、「前記選択画面を用いて選択された複数の前記編集効果を表す情報」「を含む編集情報を、前記指示がある毎に生成する」という事項を有するものとなっており、当業者であっても、拒絶査定において引用された引用文献１−５に基づいて、容易に発明
できたものとはいえず、当該技術分野における技術常識、あるいは周知の技術であるともいえない。
　したがって、原査定の理由を維持することはできない。
第８　むすび
　以上のとおり、本願発明１−１１は、当業者が引用発明、引用文献２−５に記載された技術的事項に基づいて容易に発明できたものではない。したがって、原査定の理由によっては、本願を拒絶することはできない。
　また、他に本願を拒絶すべき理由を発見しない。
　よって、結論のとおり審決する。